(57)【要約】補聴器面板のための空間節約型電気接点アセンブリは、個々の接点の構成を面板における電池及び電池ドアに物理的に沿って配置することによって形成される。アセンブリの各接点に、相互接続された端子を提供することによって、アセンブリの配線が減じられる。
2006507707.tif 000002
【特許請求の範囲】
【請求項１】
補聴器のためのモジュールアセンブリにおいて、
面板と、
該面板における電池ドアと、
前記面板に部分的に固定されかつ概して電池ドアに沿って隣接して配置された電気接点アセンブリが設けられていることを特徴とする、補聴器のためのモジュールアセンブリ。
【請求項２】
前記面板が概して矩形の開口を有しており、
前記電池ドアが、前記概して矩形の開口内に配置されている、請求項１記載のアセンブリ。
【請求項３】
前記電気接点アセンブリが少なくとも１つの接点を含んでおり、各接点が、接点部分と、概して電池ドアに沿って隣接して配置された端子部分と、接点部分と端子部分とを相互接続した、少なくとも部分的に面板に埋め込まれた相互接続部分とを含んでいる、請求項１記載のアセンブリ。
【請求項４】
前記面板が概して矩形の開口を含んでおり、
前記電池ドアが、前記概して矩形の開口内に配置されている、請求項３記載のアセンブリ。
【請求項５】
補聴器の面板のための電気接点アセンブリにおいて、
前記面板が電池ドアを含んでおり、前記電気接点アセンブリが、部分的に面板に固定されておりかつ概して電池ドアに沿って隣接して配置されていることを特徴とする、補聴器の面板のための電気接点アセンブリ。
【請求項６】
前記面板が概して矩形の開口を含んでおり、
前記電池ドアが、前記概して矩形の開口内に配置されている、請求項５記載のアセンブリ。
【請求項７】
前記電気接点アセンブリが少なくとも１つの接点を含んでおり、各接点が、接点部分と、概して電池ドアに沿って隣接して配置された端子部分と、接点部分と端子部分とを相互接続した、少なくとも部分的に面板に埋め込まれた相互接続部分とを含んでいる、請求項５記載のアセンブリ。
【請求項８】
前記面板が概して矩形の開口を含んでおり、
前記電池ドアが、前記概して矩形の開口内に配置されている、請求項７記載のアセンブリ。
【請求項９】
補聴器の面板のための電気接点において、
前記面板が電池ドアを含んでおり、前記電気接点が、部分的に面板に固定されておりかつ概して電池ドアに沿って隣接して配置されていることを特徴とする、補聴器の面板のための電気接点。
【請求項１０】
前記面板が概して矩形の開口を含んでおり、
前記電池ドアが、前記概して矩形の開口内に配置されている、請求項９記載の電気接点。
【請求項１１】
前記電気接点が、接点部分と、概して電池ドアに沿って隣接して配置された端子部分と、接点部分と端子部分とを相互接続した、少なくとも部分的に面板に埋め込まれている相互接続部分とを含んでいる、請求項９記載の電気接点。
【請求項１２】
前記面板が概して矩形の開口を含んでおり、
前記電池ドアが、前記概して矩形の開口内に配置されている、請求項１１記載の電気接点。
【発明の詳細な説明】
【技術分野】
【０００１】
引用により本明細書に記載されたものとする米国特許第５１１８５４０号明細書、米国特許第５７９９０９５号明細書及び米国特許第６０８８４６５号明細書に示されているように、プログラミング及び調整を容易にするために、補聴器には面板に電気接点が設けられている。耳あな形補聴器のためには、補聴器内の内部空間は貴重であり、接点は必然的にこの空間のある程度の部分を占める。ユーザの耳に適切かつ快適に適合するように、装置の寸法はできるだけ小さくなければならない。
【０００２】
図面の簡単な説明
図１及び図２は、電池収容部と、マイクロフォンと、プログラミング接点アセンブリとを有する補聴器面板の斜視図である；
図３〜５は、図１に示されたプログラミング接点アセンブリを含む個々の接点の斜視図である。
【０００３】
発明の説明
電気接点のために必要な空間は、これらの電気接点を、電池収容部及びドアに物理的に沿って配置することによって最小化することができる。この構成は、補聴器のために必要な配線を減じ、製造を容易にする。さらに、これにより、補聴器のための容積がより小さくなる。
【０００４】
補聴器の面板１０と、電池２０と、電池ドア２４と、電池支持接点２２と、プログラミング接点アセンブリ３０とは、図１（面板を破線で示している）及び図２に示されている。電池ドア２４は、面板１０における開口１２内に配置されているのに対し、プログラミング接点アセンブリ３０は、概して電池ドア２４に沿って隣接して配置されている。電池２０と、電池支持接点２２と、電池ドア２４とは、面板１０の面１４から垂直方向に突出している。図１を参照すると、この面１４が補聴器の内側であり、外面（図示せず）が下方に位置していることが理解されるべきである。
【０００５】
プログラミング接点アセンブリ３０は、３つの別個の接点４０，５０及び６０を有しているが、あらゆる数の接点を提供することができる。面板１０は射出成形によって製造されることができ、射出成形の間電池支持接点２２及びプログラミング接点アセンブリ３０は所定の位置に保持される。
【０００６】
図１に示された特定の構成において、電池２０及び電池ドア２４に沿って隣接した空間に配置された、２つの外側の接点４０及び５０と、中央の接点６０とが設けられている。図３〜図５の斜視図に示されているように、各接点は、概してドア２４に隣接した平面に位置する接点部分４２，５２又は６２と、対応する接点部分４２，５２又は６２とは異なる平面に沿ってそれぞれ延びた端子部分４４，５４又は６４とを有している。図面では、これらの平面は概して直角を成しているが、その他の向きが使用されてもよい。図示したように、接点部分４２，５２及び６２は、面板１０の内面１４から概して垂直に延びているが、電池ドア２４に向かって幾分傾斜しているか又は湾曲している。この向きにするために、接点部分４２，５２及び６２に圧力を加えてドア２４に向かって曲げる必要がある。
【０００７】
接点４０，５０及び６０は、個々の接点部分と端子部分との間に中間相互接続部分４６，５６及び６６を有している。図１に示したように、各中間相互接続部分４６，５６及び６６の少なくとも一部、場合によっては、接点部分４２，５２及び５６と端子部分４４，５４及び６４との部分が、面板１０に埋め込まれている。
【０００８】
図面（例えば図１）において、接点６０の端子部分６４は、電池支持接点２２に隣接しており、２つのアイテムはろう接されているか又はスポット溶接されている。その他の接点４０及び５０は、個々の端子部分４４及び５４にろう接された又はスポット溶接されたワイヤ（図示せず）に接続されている。
【０００９】
接点４０，５０及び６０を製造するために使用される材料は、接点部分４２，５２及び６２を屈曲させるために十分にフレキシブルでなければならないが、射出成形プロセス中に全体形状を維持しないほど柔軟であってはならない。ベリリウム銅及びステンレス鋼が好適であることが分かった。
【図面の簡単な説明】
【００１０】
【図１】電池収容部と、マイクロフォンと、プログラミング接点アセンブリとを有する補聴器面板を示す斜視図である。
【図２】電池収容部と、マイクロフォンと、プログラミング接点アセンブリとを有する補聴器面板を示す斜視図である。
【図３】図１に示したプログラミング接点アセンブリを含む個々の接点を示す斜視図である。
【図４】図１に示したプログラミング接点アセンブリを含む個々の接点を示す斜視図である。
【図５】図１に示したプログラミング接点アセンブリを含む個々の接点を示す斜視図である。
【符号の説明】
【００１１】
１０  面板、  ２０  電池、  ２２  電池支持接点、  ２４  電池ドア、  ３０  プログラミング接点アセンブリ、  ４０，５０，６０  接点、  ４２，５２，６２  接点部分、  ４４，５４，６４  端子部分、  ４６，５６，６６  中間相互接続部分
【図１】
2006507707.tif 000003
【図２】
2006507707.tif 000004
【図３】
2006507707.tif 000005
【図４】
2006507707.tif 000006
【図５】
2006507707.tif 000007
【国際調査報告】
2006507707.tif 000008
2006507707.tif 000009